(57)【要約】【課題】２色成形法を用いることなく、かつ、別部材を組み合わせることなく、様々な状況で踏み込み部と段鼻部との区別が容易に行えるようにして高い安全性を確保する。【解決手段】階段の段鼻部を被覆する部位には、段鼻部の長手方向に対して第１の角度を持って傾斜して延びる第１突条部１３ａと、段鼻部の長手方向に対して第１の角度とは異なる第２の角度を持って傾斜して延びる第２突条部１４ａとが段鼻部の長手方向に並ぶように形成されている。【選択図】図１
2015067953.tif 000002
【特許請求の範囲】
【請求項１】
階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる複数の第１突条部と、上記段板部の奥行き方向に対して奥へ行くほど右に位置するように傾斜して延びる複数の第２突条部とが、上記段鼻部の長手方向に並ぶように形成されていることを特徴とする階段マット。
【請求項２】
請求項１に記載の階段マットにおいて、
上記第１突条部及び上記第２突条部は、上記段鼻部の長手方向に交互に複数形成されていることを特徴とする階段マット。
【請求項３】
請求項１または２に記載の階段マットにおいて、
上記第１突条部及び上記第２突条部の側面は上記段板部の表面に対して傾斜していることを特徴とする階段マット。
【請求項４】
階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる列をなすように配置された複数の第１突起と、上記段板部の奥行き方向に対して奥へ行くほど右に位置するように傾斜して延びる列をなすように配置された複数の第２突起とが形成されていることを特徴とする階段マット。
【発明の詳細な説明】
【技術分野】
【０００１】
本発明は、階段の踏面に配設される階段マットに関するものである。
【背景技術】
【０００２】
従来より、階段の踏面を覆うように配設される各種階段マットが知られている（例えば、特許文献１、２参照）。特許文献１の室内階段構造では、段板部を覆うように該段板部に階段マットを配設するようにしている。特許文献１の階段マットは複数種あり、踏み込み部を平滑面とし、段鼻部に防滑用のエンボス模様を施したもの、踏み込み部と段鼻部との色差及び／又は明度差を５水準以上としたもの、踏み込み部を布地で構成し、段鼻部を合成樹脂としたものがある。特許文献２の階段被覆構造でも階段マットが配設されており、この階段マットは、踏み込み部と段鼻部とで表面形状を変えている。
【先行技術文献】
【特許文献】
【０００３】
【特許文献１】特開２００３−４１７３２号公報
【特許文献２】特開２０１２−１５４１７１号公報
【発明の概要】
【発明が解決しようとする課題】
【０００４】
ところで、階段の昇降時には高い安全性が求められるのであるが、その中でも、足を段板部から踏み外してしまう、いわゆる踏み外しによる事故を抑制したいという要求ある。この要求に対しては、段鼻部が目立つようにすることで昇降者が足を段鼻部に確実に載せるようにすることが考えられる。
【０００５】
特許文献１の階段マットの段鼻部にエンボス模様を施したものでは、平滑面である踏み込み部との相対的な関係で段鼻部を昇降者が認識しやすくなると思われるが、その原理はエンボス模様を施すことによってできる陰影であるので、昇降者の身長や姿勢によって目の高さが異なってエンボス模様を見る角度が変化した場合や、階段マットの配設される場所の照明の位置（光の照射方向）によってはエンボス模様が目立たなくなってしまう懸念がある。
【０００６】
また、特許文献１の踏み込み部と段鼻部との色差及び／又は明度差を５水準以上としたものでは、踏み込み部と段鼻部とを色調の異なる異種または同種材料で構成しなければならないので、例えば２色成形法等の成形手法を採用せざるを得ず、階段マットのコスト高を招く。
【０００７】
また、特許文献１の踏み込み部を布地で構成し、段鼻部を合成樹脂としたものでは、複数の部材を組み合わせなければならないので、階段マットのコスト高を招く。
【０００８】
また、特許文献２のものでは、踏み込み部と段鼻部とで表面形状を変えているが、上述したように見る角度が変化した場合や、光の照射方向によっては、踏み込み部と段鼻部との区別が付きにくくなる懸念がある。
【０００９】
本発明は、かかる点に鑑みてなされたものであり、その目的とするところは、２色成形法を用いることなく、かつ、別部材を組み合わせることなく、様々な状況で踏み込み部と段鼻部との区別が容易に行えるようにして高い安全性を確保することにある。
【課題を解決するための手段】
【００１０】
上記目的を達成するために、本発明では、踏み込み部と段鼻部とで形状に差を持たせ、段鼻部の形状に工夫を凝らして踏み込み部よりも目立ちやすくした。
【００１１】
第１の発明は、
階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる複数の第１突条部と、上記段板部の奥行き方向に対して奥へ行くほど右に位置するように傾斜して延びる複数の第２突条部とが、上記段鼻部の長手方向に並ぶように形成されていることを特徴とする。
【００１２】
この構成によれば、段鼻部被覆領域に、異なる方向に傾斜する複数の第１突条部と第２突条部とが段鼻部の長手方向に並ぶように形成されることになる。例えば、昇降者の身長や姿勢によって目の高さが異なる場合や、階段マットへの光の照射方向が異なる場合に、第１突条部の陰影が目立ちにくくても第２突条部の陰影が目立ちやすくなることがあり、その反対に、第２突条部の陰影が目立ちにくくても第１突条部の陰影が目立ちやすくなることがある。このように、第１突条部及び第２突条部の傾斜方向を変えておくことで、様々な状況で昇降者が段鼻部を認識し易くなり、その結果、２色成形法や別部材の組み合わせ構造を採用することなく、低コストで踏み外しによる事故を抑制することが可能になる。
【００１３】
第２の発明は、第１の発明において、
上記第１突条部及び上記第２突条部は、上記段鼻部の長手方向に交互に複数形成されていることを特徴とする。
【００１４】
この構成によれば、段鼻部の広い範囲に亘って第１突条部及び第２突条部を形成して段鼻部の視認性をより一層向上させることが可能になる。
【００１５】
第３の発明は、第１または２の発明において、
上記第１突条部及び上記第２突条部の側面は上記段板部の表面に対して傾斜していることを特徴とする。
【００１６】
この構成によれば、第１突条部及び第２突条部による陰影が目立ちやすくなり、段鼻部の視認性をより一層向上させることが可能になる。
【００１７】
第４の発明は、階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる列をなすように配置された複数の第１突起と、上記段板部の奥行き方向に対して奥へ行くほど右に位置するように傾斜して延びる列をなすように配置された複数の第２突起とが形成されていることを特徴とする。
【００１８】
この構成によれば、段鼻部被覆領域に、異なる方向に傾斜して延びる列をなすように複数の第１突起と第２突起とが形成されることになる。これにより、第１の発明と同様に、様々な状況で昇降者が段鼻部を認識し易くなり、その結果、２色成形法や別部材の組み合わせ構造を採用することなく、低コストで踏み外しによる事故を抑制することが可能になる。
【発明の効果】
【００１９】
第１の発明によれば、傾斜方向が互い異なる複数の第１突条部及び第２突条部を段鼻部の長手方向に並ぶように設けたので、低コストなものとしながら、様々な状況で踏み込み部と段鼻部との区別を容易に行うことができ、高い安全性を確保できる。
【００２０】
第２の発明によれば、第１突条部及び第２突条部を段鼻部の長手方向に交互に複数形成したので、段鼻部の視認性をより一層向上させることができる。
【００２１】
第３の発明によれば、第１突条部及び第２突条部の側面を傾斜させたので第１突条部及び第２突条部による陰影が目立ちやすくなり、段鼻部の視認性をより一層向上させることができる。
【００２２】
第４の発明によれば、傾斜方向が互い異なる列をなすように複数の第１突起及び第２突起を形成したので、低コストなものとしながら、様々な状況で踏み込み部と段鼻部との区別を容易に行うことができ、高い安全性を確保できる。
【図面の簡単な説明】
【００２３】
【図１】本発明の実施形態１に係る階段マットの一部分の斜視図である。
【図２】階段マットの一部分の平面図である。
【図３】階段マットの側面図である。
【図４】図２のIV−IV線断面図である。
【図５】第１突条部の別の断面形状を示す図である。
【図６】本発明の実施形態２に係る階段マットの一部分の平面図である。
【図７】本発明の実施形態２に係る階段マットの一部分の斜視図である。
【図８】本発明の実施形態２に係る階段マットの一部分の正面図である。
【図９】本発明の実施形態２に係る階段マットの側面図である。
【図１０】本発明の実施形態３に係る階段マットの一部分の平面図である。
【図１１】本発明の実施形態３に係る階段マットの一部分の斜視図である。
【図１２】本発明の実施形態３に係る階段マットの一部分の正面図である。
【図１３】本発明の実施形態３に係る階段マットの側面図である。
【図１４】本発明の実施形態４に係る階段マットの一部分の平面図である。
【図１５】本発明の実施形態４に係る階段マットの一部分の斜視図である。
【図１６】本発明の実施形態４に係る階段マットの一部分の正面図である。
【図１７】本発明の実施形態４に係る階段マットの側面図である。
【図１８】本発明の実施形態５に係る階段マットの一部分の平面図である。
【図１９】本発明の実施形態５に係る階段マットの一部分の斜視図である。
【図２０】本発明の実施形態５に係る階段マットの一部分の正面図である。
【図２１】本発明の実施形態５に係る階段マットの側面図である。
【図２２】（ａ）は変形例１に係る図４相当図であり、（ｂ）は変形例２に係る図４相当図である。
【図２３】（ａ）は変形例３に係る図４相当図であり、（ｂ）は変形例４に係る図４相当図である。
【図２４】（ａ）は変形例５に係る図４相当図であり、（ｂ）は変形例６に係る図６相当図である。
【図２５】（ａ）は変形例７に係る図４相当図であり、（ｂ）は変形例８に係る図６相当図である。
【図２６】（ａ）は変形例９に係る図４相当図であり、（ｂ）は変形例１０に係る図６相当図である。
【図２７】変形例１１に係る図４相当図である。
【図２８】（ａ）は変形例１２に係る図４相当図であり、（ｂ）は変形例１３に係る図６相当図である。
【図２９】変形例１４に係る図４相当図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
（実施形態１）
図１は、本発明の実施形態１に係る階段マット１の斜視図である。図２は、階段マット１の一部分を示す平面図である。階段マット１は、図３に示すように屋外階段を構成する段板部１００を上方から覆うように配設されて使用されるものである。段板部１００は、踏み面を構成するものであり、例えば金属製あってもよいし、木製やコンクリート製であってもよいが、この実施形態では、金属製板材からなるものである。段板部１００の先端部分は段鼻部１０１である。段板部１００の段鼻部１０１以外の部分は踏み込み部１０２である。
【００２６】
階段マット１は、段板部１００を覆う本体部１０と、本体部１０の段鼻部１０１側の端部から下方へ延び、蹴込み１０３の上部を覆う縦板部２０とを備えている。階段マット１の幅寸法（昇降者から見て左右方向の寸法）及び奥行き寸法（昇降者から見て前後方向の寸法）は、それぞれ、段板部１００の同方向の寸法に対応するように設定されており、この実施形態では、階段マット１の幅寸法は１２０ｃｍ程度、奥行き寸法は２５ｃｍ程度である。
【００２７】
本体部１０と縦板部２０とは、ＳＢＲ系ゴム（スチレンブタジエンゴム）を用いて一体成形されたものである。階段マット１の材料は上記ゴムに限られるものではなく、各種弾性材を用いることができるが、硬度は、ＪＩＳ−Ｋ−６２５３（Ａ型）の試験方法において例えば４０以上６０以下が好ましく、この実施形態では５５としている。また、密度は、ＪＩＳ−Ｋ−６２６８の測定方法において例えば１．４以上１．６以下が好ましく、この実施形態では、１．４５としている。
【００２８】
図示しないが、階段マット１の本体部１０の裏面には、固定用の両面テープを設けることができる。両面テープは例えばアクリル系粘着材を有するものが好ましい。
【００２９】
階段マット１の本体部１０は、２つの領域に分けることができる。すなわち、本体部１０は、段板部１００の踏み込み部１０２を覆う踏み込み部被覆領域１２と、段板部１００の段鼻部１０１を覆う段鼻部被覆領域１１とを有している。段鼻部被覆領域１１と踏み込み部被覆領域１２との間には、目視可能な境界線はなく、詳細は後述するが、段鼻部被覆領域１１と踏み込み部被覆領域１２とにそれぞれ形成される突条部の形状の相違によって各々を識別できるようになっている。
【００３０】
踏み込み部被覆領域１２の表面には、段板部１００の幅方向、即ち、段鼻部１０１の幅方向と平行に延びる多数の突条部１２ａが踏み込み部被覆領域１２の奥行き方向に並び、かつ、踏み込み部被覆領域１２の幅方向に並ぶように形成されている。踏み込み部被覆領域１２の奥行き方向に並ぶ突条部１２ａの間隔は、突条部１２ａの幅よりも狭く設定されている。また、踏み込み部被覆領域１２の幅方向に並ぶ突条部１２ａの間隔は、突条部１２ａの長手方向の寸法よりも狭く設定されている。各突条部１２ａの断面は略半円形状とされており、各突条部１２ａの外面は湾曲面となっている。
【００３１】
尚、踏み込み部被覆領域１２に設ける突条部１２ａの形状は、上記した形状に限られるものではなく、例えば点状や、奥行き方向に延びる突条等であってもよい。また、踏み込み部被覆領域１２を平坦面で構成してもよい。
【００３２】
図１や図２に示すように、段鼻部被覆領域１１には、第１突条部１３ａが形成される第１領域１３と、第２突条部１４ａが形成される第２領域１４とが段鼻部１０１の長手方向に並ぶように交互に複数形成されている。第１領域１３は、平面視で段鼻部１０１の長手方向に長い略矩形であり、第２領域１４も第１領域１３と同じ略矩形である。
【００３３】
図２に示すように、第１突条部１３ａは、段鼻部１０１の長手方向に対して第１の角度αを持って傾斜している。すなわち、第１突条部１３ａは、階段を昇る際に段板部１００に向かったとき、段板部１００の奥行き方向（図２の上下方向）に対して段板部１００の奥（図２の上）へ行くほど左に位置するように傾斜して直線状に延びている。
【００３４】
第２突条部１４ａは、段鼻部１０１の長手方向に対して第１の角度αとは異なる第２の角度βを持って傾斜している。すなわち、第２突条部１４ａは、階段を昇る際に段板部１００に向かったとき、段板部１００の奥行き方向（図２の上下方向）に対して段板部１００の奥（図２の上）へ行くほど右に位置するように傾斜して直線状に延びている。直線状に延びている。第１領域１３及び第２領域１４が段鼻部１０１の長手方向に交互に設けられているので、第１突条部１３ａ及び第２突条部１４ａも段鼻部１０１の長手方向に並ぶように交互に複数形成されることになる。
【００３５】
このように、段鼻部被覆領域１１に、傾斜方向の異なる第１突条部１３ａと第２突条部１４ａとが段鼻部１０１の長手方向に並ぶように形成されることになる。例えば、昇降者の身長や姿勢によって目の高さが異なる場合や、階段マット１への光の照射方向が異なる場合に、第１突条部１３ａの陰影が目立ちにくくても第２突条部１４ａの陰影が目立ちやすくなることがあり、その反対に、第２突条部１４ａの陰影が目立ちにくくても第１突条部１３ａの陰影が目立ちやすくなることがある。
【００３６】
また、第１領域１３と第２領域１４とは所定の距離Ｈ１だけ離れている。図１や図２に示すＨ１は、例えば２ｍｍ程度に設定されている。
【００３７】
第１領域１３と第２領域１４の幅は同じにしてもよいし、異なる幅としてもよい。この実施形態では、第１領域１３と第２領域１４の幅は同じにしており、約５０mmであるが、この幅は、１２０mm以下で１５mm以上の範囲に設定するのが好ましい。これは、一般成人２０人の視認性試験の結果に基づく。
【００３８】
視認性試験は、コンピュータシミュレーションを用いて次の要領で行った。まず、階段マット１の形状を再現したモデルを仮想の階段に配設する。そのモデルの上方の天井に相当する部分に仮想光源を配置する。そのモデルを見る視線は、階段の段板部から上方へ１．５ｍ離れたところに設定する。このとき、その視線から見ることのできる階段マットモデルをディスプレイ上に表示し、このディスプレイ上の画像を一般成人２０人に見てもらい、階段マットモデルの段鼻部被覆領域１１の視認性がどの程度であるかを１点〜５点で評価してもらった。１点は、「段鼻部被覆領域１１が非常に認識しづらい」とし、２点は、「段鼻部被覆領域１１が認識しづらい」とし、３点は、「段鼻部被覆領域１１が認識できる」とし、４点は、「段鼻部被覆領域１１が良く認識できる」とし、５点は、「段鼻部被覆領域１１が非常に良く認識できる」とした。第１領域１３と第２領域１４の幅を１２０mm以下で１５mm以上の範囲に設定することで、上記視認性試験結果は平均点で３点以上となる。この試験を行う際、視線の角度は、段板部１００に対し垂直となる角度（鉛直）から段板部１００に対し７５゜となる角度の範囲内で５゜ずつ変え、それぞれで点数を付けた。
【００３９】
第１領域１３及び第２領域１４は、踏み込み部被覆領域１２に形成されている突条部１２ａのうち、最も段鼻部被覆領域１１に近い突条部１２ａから所定の距離Ｈ２だけ離れている。Ｈ２は、１０ｍｍ以上が好ましく、上限値は段板部１００の一般的な奥行きを考慮すると、９０ｍｍ程度が好ましい。Ｈ２を１０ｍｍ以上９０ｍｍ以下に設定することで、上記視認性試験結果は平均点で３点以上となる。Ｈ２を２０ｍｍよりも短くすると、踏み込み部被覆領域１２に形成されている突条部１２ａの影響を受けて第１突条部１３ａや第２突条部１４ａが目立ちにくくなる傾向にある。
【００４０】
第１突条部１３ａは、１つの第１領域１３に複数形成されている。第１突条部１３ａは、第１領域１３内において複数並ぶように配置されている。１つの第１領域１３に形成される第１突条部１３ａの数は、５個以上が好ましい。第１突条部１３ａの数を増やしすぎると第１突条部１３ａが小さくなり過ぎて目立たなくなるので、上限は１２個が好ましい。第１突条部１３ａの数を５個以上１２個以下に設定することで、上記視認性試験結果は平均点で３点以上となる。第２突条部１４ａの数も同様に設定するのが好ましい。
【００４１】
第１領域１３内における第１突条部１３ａのうち、第１突条部１３ａの並び方向中央部に位置する第１突条部１３ａの長さが最も長くなり、並び方向の端に行くほど第１突条部１３ａの長さが短くなっている。第１領域１３内において隣り合う第１突条部１３ａの間に隙間を設けない方が好ましいが、隙間を設ける場合には、その隙間と第１突条部１３ａの幅との比が１：２以下となるように設定するのが好ましい。このように設定することで、上記視認性試験結果は平均点で３点以上となる。
【００４２】
図４に示すように、第１突条部１３ａの断面は二等辺三角形に近い山形である。従って、第１突条部１３ａの両側面は傾斜面となっている。第１突条部１３ａの両側面がなす角度θは、１３０゜よりも小さい角度が好ましく、下限としては３０゜である。角度θを３０゜以上１３０゜以下に設定することで、上記視認性試験結果は平均点で３点以上となる。角度θを１３０゜よりも大きくすると、第１突条部１３ａが平面的な形状になって突条とならなくなる。
【００４３】
図２に示すように、第１突条部１３ａの延長線と第２突条部１４ａの延長線との交差角Ａは、３０゜以上１５０゜以下が好ましい。交差角Ａを３０゜以上１５０゜以下に設定することで、上記視認性試験結果は平均点で３点以上となる。交差角Ａを３０゜よりも小さくすると、第１突条部１３ａと第２突条部１４ａとが共に段板部１００の奥行き方向に延びる形状となってしまい、目立ちにくくなる。また、交差角Ａを１５０゜よりも大きくすると、第１突条部１３ａと第２突条部１４ａとが共に段板部１００の幅方向に延びる形状となってしまい、目立ちにくくなる。
【００４４】
また、図４に示すように、第１突条部１３ａ及び第２突条部１４ａの高さＢは、離れていても目視できる程度である０．５ｍｍ以上が好ましい。これにより、上記視認性試験結果は平均点で３点以上となる。第１突条部１３ａ及び第２突条部１４ａの高さＢは、高い方が好ましいが、高すぎると昇降者が踏んだときに違和感を感じることになるので、例えば３ｍｍ以下が好ましい。
【００４５】
また、第１突条部１３ａ及び第２突条部１４ａの底部の幅Ｃは、１ｍｍ以上が好ましい。これにより、上記視認性試験結果は平均点で３点以上となる。
【００４６】
また、第１突条部１３ａの断面形状は、頂部が尖った山形、頂部が湾曲した山形のいずれであってもよい。頂部が湾曲した山形の場合、頂部を円弧形状とすることができ、このときの半径は例えば０．２５ｍｍ以上０．７５ｍｍ以下に設定することができる。これにより、上記視認性試験結果は平均点で３点以上となる。第２突条部１４ａも同様である。
【００４７】
また、第１突条部１３ａの断面形状は、長方形（図５（ａ）に示す）や正方形であってもよいし、台形（図５（ｂ）に示す）であってもよい。第１突条部１３ａの断面形状を長方形や正方形とする場合には、隣り合う第１突条部１３ａの間に隙間を設ける必要がある。第１突条部１３ａの断面形状を台形とする場合にも隣り合う第１突条部１３ａの間に隙間を設けるのが好ましい。第１突条部１３ａの断面形状を台形とする場合、上辺と下辺との差を大きくするのが好ましい。第２突条部１４ａも同様である。
【００４８】
以上説明したように、この実施形態に係る階段マット１によれば、段鼻部１０１の長手方向に対する傾斜角度が互い異なる第１突条部１３ａ及び第２突条部１４ａを段鼻部１０１の長手方向に並ぶように設けている。これにより、様々な状況で昇降者が段鼻部１０１を認識し易くなり、その結果、２色成形法や別部材の組み合わせ構造を採用することなく、低コストで踏み外しによる事故を抑制することが可能になるので、安全性を高めることができる。
【００４９】
また、第１突条部１３ａ及び第２突条部１４ａを段鼻部１０１の長手方向に交互に複数形成したので、段鼻部１０１の視認性をより一層向上させることができる。
【００５０】
（実施形態２）
図６〜図９は、本発明の実施形態２に係るものであり、実施形態１のものに対し、段鼻部被覆領域１１に形成される第１突条部１３ａ及び第２突条部１４ａの形状が異なっており、他の部分は実施形態１のものと同じである。以下、実施形態１と異なる部分について説明する。
【００５１】
第１突条部１３ａ及び第２突条部１４ａの傾斜方向が実施形態１のものとは反対になっている。すなわち、第１突条部１３ａは、階段を昇る際に段板部１００に向かったとき、段板部１００の奥行き方向（図６の上下方向）に対して段板部１００の奥（図６の上）へ行くほど右に位置するように傾斜して直線状に延びている。また、第２突条部１４ａは、階段を昇る際に段板部１００に向かったとき、段板部１００の奥行き方向に対して段板部１００の奥へ行くほど左に位置するように傾斜して直線状に延びている。
【００５２】
また、第１突条部１３ａ及び第２突条部１４ａは略三角形の断面を有しており、その断面は頂部が尖った形状となっている。
【００５３】
実施形態２の階段マット１も実施形態１と同様な作用効果を奏することができる。
【００５４】
（実施形態３）
図１０〜図１３は、本発明の実施形態３に係るものであり、実施形態１のものに対し、段鼻部被覆領域１１の構成が異なっており、他の部分は実施形態１のものと同じである。以下、実施形態１と異なる部分について説明する。
【００５５】
第１領域１３には、複数の第１突起１３ｂが形成されている。第１突起１３ｂは、所定方向に延びる列をなすように並んでいる。具体的には、実施形態３では、第１突起１３ｂの列は、階段を昇る際に段板部１００に向かったとき、段板部１００の奥行き方向（図１０の上下方向）に対して段板部１００の奥（図１０の上）へ行くほど左に位置するように傾斜して直線状に延びている。第１突起１３ｂは山型である。
【００５６】
一方、第２領域１４には、複数の第２突起１４ｂが形成されている。第２突起１４ｂも列をなすように配置されており、第２突起１４ｂの列は、階段を昇る際に段板部１００に向かったとき、段板部１００の奥行き方向（図１０の上下方向）に対して段板部１００の奥（図１０の上）へ行くほど右に位置するように傾斜して直線状に延びている。第２突起１４ｂも山型である。
【００５７】
このように、段鼻部被覆領域１１に、傾斜方向の異なる複数の列が第１突起１３ｂと第２突起１４ｂとで形成されることになる。従って、昇降者の身長や姿勢によって目の高さが異なる場合や、階段マット１への光の照射方向が異なる場合に、第１突起１４ａにより形成された列の陰影が目立ちにくくても第２突起１４ｂにより形成された列の陰影が目立ちやすくなることがあり、その反対に、第２突起１４ｂにより形成された列の陰影が目立ちにくくても第１突起１３ｂにより形成された列の陰影が目立ちやすくなることがある。
【００５８】
よって、実施形態３の階段マット１も実施形態１と同様な作用効果を奏することができる。
【００５９】
（実施形態４）
図１４〜図１７は、本発明の実施形態４に係るものであり、実施形態３のものに対し、段鼻部被覆領域１１の構成が異なっており、他の部分は実施形態３のものと同じである。以下、実施形態３と異なる部分について説明する。
【００６０】
第１領域１３には、第１突起１３ｂによって形成される列が複数あり、これら列の間隔が実施形態３のものに対して広く設定されている。また、第２領域１４も同様に第２突起１４ｂによって形成される列の間隔が実施形態３のものに対して広く設定されている。
【００６１】
実施形態４の階段マット１も実施形態１と同様な作用効果を奏することができる。
【００６２】
（実施形態５）
図１８〜図２１は、本発明の実施形態５に係るものであり、実施形態４のものに対し、段鼻部被覆領域１１の構成が異なっており、他の部分は実施形態４のものと同じである。以下、実施形態４と異なる部分について説明する。
【００６３】
第１領域１３の第１突起１３ｂの形状が第２突起１４ｂとは異なる形状となっている。このように第１突起１３ｂと第２突起１４ｂの形状を互いに変えても実施形態１と同様な作用効果を奏することができる。
【００６４】
図２２（ａ）に示す変形例１のように、隣り合う第１突条部１３ａの高さを互いに変えてもよい。また、図２２（ｂ）に示す変形例２のように、第１突条部１３ａの先端部を丸く形成してもよい。
【００６５】
図２３（ａ）、（ｂ）に示す変形例３、４のように、隣り合う第１突条部１３ａの間に凸部１３ｃを形成してもよい。変形例３の凸部１３ｃの上端面は平坦である。また、変形例４の凸部１３ｃの上端面は湾曲している。
【００６６】
図２４（ａ）、（ｂ）に示す変形例５、６のように、隣り合う第１突条部１３ａの間に別の突条部１３ｄを形成してもよい。変形例５では突条部１３ｄが２つあり、また、変形例６では突条部１３ｄが１つある。
【００６７】
図２５（ａ）、（ｂ）に示す変形例７、８のように、第１突条部１３ａの一方の側面を鉛直にし、他方の側面を傾斜させるようにしてもよい。変形例７では第１突条部１３ａの高さが全て同じであり、また、変形例８では第１突条部１３ａの高さが異なっている。
【００６８】
図２６（ａ）、（ｂ）に示す変形例９、１０のように、第１突条部１３ａの先端部を球状に成形してもよい。変形例９では第１突条部１３ａの側面を平坦にしており、また、変形例１０では第１突条部１３ａの側面に凸部１３ｅが形成されている。
【００６９】
図２７に示す変形例１１では、隣り合う第１突条部１３ａの間に溝部１３ｆが形成されている。
【００７０】
図２８（ａ）に示す変形例１２では、第１突条部１３ａの先端部に略水平な平坦面を形成しており、また、図２８（ｂ）に示す変形例１３では、第１突条部１３ａの先端部を窪ませている。
【００７１】
図２９に示す変形例１４では、第１突条部１３ａの先端部に略水平な平坦面を形成し、かつ、隣り合う第１突条部１３ａの間に変形例３や４に示すような凸部１３ｃを形成している。
【００７２】
尚、上述のように第１突条部１３ａ及び第２突条部１４ａを設けることで階段マット１の色は単色であっても視認性を向上させることができるが、階段マット１の色は黒等の暗めの色よりも、明るめの色の方が好ましい。例えば、ベージュ、明るいグレー等である。
【００７３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７４】
以上説明したように、本発明に係る階段マットは、例えば、屋外階段等に配設することができる。
【符号の説明】
【００７５】
１          階段マット
１１        段鼻部被覆領域
１２        踏み込み部被覆領域
１３ａ      第１突条部
１３ｂ      第１突起
１４ａ      第２突条部
１４ｂ      第２突起
１００      段板部
１０１      段鼻部
１０２      踏み込み部
【図２】
2015067953.tif 000003
【図３】
2015067953.tif 000004
【図４】
2015067953.tif 000005
【図５】
2015067953.tif 000006
【図６】
2015067953.tif 000007
【図７】
2015067953.tif 000008
【図８】
2015067953.tif 000009
【図９】
2015067953.tif 000010
【図１０】
2015067953.tif 000011
【図１１】
2015067953.tif 000012
【図１２】
2015067953.tif 000013
【図１３】
2015067953.tif 000014
【図１４】
2015067953.tif 000015
【図１５】
2015067953.tif 000016
【図１６】
2015067953.tif 000017
【図１７】
2015067953.tif 000018
【図１８】
2015067953.tif 000019
【図１９】
2015067953.tif 000020
【図２０】
2015067953.tif 000021
【図２１】
2015067953.tif 000022
【図２２】
2015067953.tif 000023
【図２３】
2015067953.tif 000024
【図２４】
2015067953.tif 000025
【図２５】
2015067953.tif 000026
【図２６】
2015067953.tif 000027
【図２７】
2015067953.tif 000028
【図２８】
2015067953.tif 000029
【図２９】
2015067953.tif 000030
【図１】
2015067953.tif 000031
【手続補正書】
【提出日】平成26年10月16日(2014.10.16)
【手続補正１】
【補正対象書類名】明細書
【補正対象項目名】全文
【補正方法】変更
【補正の内容】
【発明の詳細な説明】
【技術分野】
【０００１】
本発明は、階段の踏面に配設される階段マットに関するものである。
【背景技術】
【０００２】
従来より、階段の踏面を覆うように配設される各種階段マットが知られている（例えば、特許文献１、２参照）。特許文献１の室内階段構造では、段板部を覆うように該段板部に階段マットを配設するようにしている。特許文献１の階段マットは複数種あり、踏み込み部を平滑面とし、段鼻部に防滑用のエンボス模様を施したもの、踏み込み部と段鼻部との色差及び／又は明度差を５水準以上としたもの、踏み込み部を布地で構成し、段鼻部を合成樹脂としたものがある。特許文献２の階段被覆構造でも階段マットが配設されており、この階段マットは、踏み込み部と段鼻部とで表面形状を変えている。
【先行技術文献】
【特許文献】
【０００３】
【特許文献１】特開２００３−４１７３２号公報
【特許文献２】特開２０１２−１５４１７１号公報
【発明の概要】
【発明が解決しようとする課題】
【０００４】
ところで、階段の昇降時には高い安全性が求められるのであるが、その中でも、足を段板部から踏み外してしまう、いわゆる踏み外しによる事故を抑制したいという要求ある。この要求に対しては、段鼻部が目立つようにすることで昇降者が足を段鼻部に確実に載せるようにすることが考えられる。
【０００５】
特許文献１の階段マットの段鼻部にエンボス模様を施したものでは、平滑面である踏み込み部との相対的な関係で段鼻部を昇降者が認識しやすくなると思われるが、その原理はエンボス模様を施すことによってできる陰影であるので、昇降者の身長や姿勢によって目の高さが異なってエンボス模様を見る角度が変化した場合や、階段マットの配設される場所の照明の位置（光の照射方向）によってはエンボス模様が目立たなくなってしまう懸念がある。
【０００６】
また、特許文献１の踏み込み部と段鼻部との色差及び／又は明度差を５水準以上としたものでは、踏み込み部と段鼻部とを色調の異なる異種または同種材料で構成しなければならないので、例えば２色成形法等の成形手法を採用せざるを得ず、階段マットのコスト高を招く。
【０００７】
また、特許文献１の踏み込み部を布地で構成し、段鼻部を合成樹脂としたものでは、複数の部材を組み合わせなければならないので、階段マットのコスト高を招く。
【０００８】
また、特許文献２のものでは、踏み込み部と段鼻部とで表面形状を変えているが、上述したように見る角度が変化した場合や、光の照射方向によっては、踏み込み部と段鼻部との区別が付きにくくなる懸念がある。
【０００９】
本発明は、かかる点に鑑みてなされたものであり、その目的とするところは、２色成形法を用いることなく、かつ、別部材を組み合わせることなく、様々な状況で踏み込み部と段鼻部との区別が容易に行えるようにして高い安全性を確保することにある。
【課題を解決するための手段】
【００１０】
上記目的を達成するために、本発明では、踏み込み部と段鼻部とで形状に差を持たせ、段鼻部の形状に工夫を凝らして踏み込み部よりも目立ちやすくした。
【００１１】
第１の発明は、
階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる複数の第１突条部が形成される第１領域と、上記段板部の奥行き方向に対して奥へ行くほど右に位置するように傾斜して延びる複数の第２突条部が形成される第２領域とが、上記段鼻部の長手方向に間隔をあけて交互に複数並ぶように形成され、
上記第１突条部は、上記第１領域内で複数並ぶように配置されており、上記第１領域内で並び方向中央部に位置する上記第１突条部の長さが最も長く、並び方向の端に行くほど上記第１突条部の長さが短くなり、
上記第２突条部は、上記第２領域内で複数並ぶように配置されており、上記第２領域内で並び方向中央部に位置する上記第２突条部の長さが最も長く、並び方向の端に行くほど上記第２突条部の長さが短くなることを特徴とする。
【００１２】
この構成によれば、段鼻部被覆領域に、異なる方向に傾斜する複数の第１突条部と第２突条部とが段鼻部の長手方向に並ぶように形成されることになる。例えば、昇降者の身長や姿勢によって目の高さが異なる場合や、階段マットへの光の照射方向が異なる場合に、第１突条部の陰影が目立ちにくくても第２突条部の陰影が目立ちやすくなることがあり、その反対に、第２突条部の陰影が目立ちにくくても第１突条部の陰影が目立ちやすくなることがある。このように、第１突条部及び第２突条部の傾斜方向を変えておくことで、様々な状況で昇降者が段鼻部を認識し易くなり、その結果、２色成形法や別部材の組み合わせ構造を採用することなく、低コストで踏み外しによる事故を抑制することが可能になる。
【００１３】
第２の発明は、第１の発明において、
上記第１突条部及び上記第２突条部の側面は上記段板部の表面に対して傾斜していることを特徴とする。
【００１４】
この構成によれば、第１突条部及び第２突条部による陰影が目立ちやすくなり、段鼻部の視認性をより一層向上させることが可能になる。
【発明の効果】
【００１５】
第１の発明によれば、傾斜方向が互い異なる複数の第１突条部及び第２突条部を段鼻部の長手方向に並ぶように設けたので、低コストなものとしながら、様々な状況で踏み込み部と段鼻部との区別を容易に行うことができ、高い安全性を確保できる。
【００１６】
また、第１突条部及び第２突条部を段鼻部の長手方向に交互に複数形成したので、段鼻部の視認性をより一層向上させることができる。
【００１７】
第２の発明によれば、第１突条部及び第２突条部の側面を傾斜させたので第１突条部及び第２突条部による陰影が目立ちやすくなり、段鼻部の視認性をより一層向上させることができる。
【図面の簡単な説明】
【００１８】
【図１】本発明の実施形態１に係る階段マットの一部分の斜視図である。
【図２】階段マットの一部分の平面図である。
【図３】階段マットの側面図である。
【図４】図２のIV−IV線断面図である。
【図５】第１突条部の別の断面形状を示す図である。
【図６】本発明の実施形態２に係る階段マットの一部分の平面図である。
【図７】本発明の実施形態２に係る階段マットの一部分の斜視図である。
【図８】本発明の実施形態２に係る階段マットの一部分の正面図である。
【図９】本発明の実施形態２に係る階段マットの側面図である。
【図１０】参考例１に係る階段マットの一部分の平面図である。
【図１１】参考例１に係る階段マットの一部分の斜視図である。
【図１２】参考例１に係る階段マットの一部分の正面図である。
【図１３】参考例１に係る階段マットの側面図である。
【図１４】参考例２に係る階段マットの一部分の平面図である。
【図１５】参考例２に係る階段マットの一部分の斜視図である。
【図１６】参考例２に係る階段マットの一部分の正面図である。
【図１７】参考例２に係る階段マットの側面図である。
【図１８】参考例３に係る階段マットの一部分の平面図である。
【図１９】参考例３に係る階段マットの一部分の斜視図である。
【図２０】参考例３に係る階段マットの一部分の正面図である。
【図２１】参考例３に係る階段マットの側面図である。
【図２２】（ａ）は変形例１に係る図４相当図であり、（ｂ）は変形例２に係る図４相当図である。
【図２３】（ａ）は変形例３に係る図４相当図であり、（ｂ）は変形例４に係る図４相当図である。
【図２４】（ａ）は変形例５に係る図４相当図であり、（ｂ）は変形例６に係る図６相当図である。
【図２５】（ａ）は変形例７に係る図４相当図であり、（ｂ）は変形例８に係る図６相当図である。
【図２６】（ａ）は変形例９に係る図４相当図であり、（ｂ）は変形例１０に係る図６相当図である。
【図２７】変形例１１に係る図４相当図である。
【図２８】（ａ）は変形例１２に係る図４相当図であり、（ｂ）は変形例１３に係る図６相当図である。
【図２９】変形例１４に係る図４相当図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
（実施形態１）
図１は、本発明の実施形態１に係る階段マット１の斜視図である。図２は、階段マット１の一部分を示す平面図である。階段マット１は、図３に示すように屋外階段を構成する段板部１００を上方から覆うように配設されて使用されるものである。段板部１００は、踏み面を構成するものであり、例えば金属製あってもよいし、木製やコンクリート製であってもよいが、この実施形態では、金属製板材からなるものである。段板部１００の先端部分は段鼻部１０１である。段板部１００の段鼻部１０１以外の部分は踏み込み部１０２である。
【００２１】
階段マット１は、段板部１００を覆う本体部１０と、本体部１０の段鼻部１０１側の端部から下方へ延び、蹴込み１０３の上部を覆う縦板部２０とを備えている。階段マット１の幅寸法（昇降者から見て左右方向の寸法）及び奥行き寸法（昇降者から見て前後方向の寸法）は、それぞれ、段板部１００の同方向の寸法に対応するように設定されており、この実施形態では、階段マット１の幅寸法は１２０ｃｍ程度、奥行き寸法は２５ｃｍ程度である。
【００２２】
本体部１０と縦板部２０とは、ＳＢＲ系ゴム（スチレンブタジエンゴム）を用いて一体成形されたものである。階段マット１の材料は上記ゴムに限られるものではなく、各種弾性材を用いることができるが、硬度は、ＪＩＳ−Ｋ−６２５３（Ａ型）の試験方法において例えば４０以上６０以下が好ましく、この実施形態では５５としている。また、密度は、ＪＩＳ−Ｋ−６２６８の測定方法において例えば１．４以上１．６以下が好ましく、この実施形態では、１．４５としている。
【００２３】
図示しないが、階段マット１の本体部１０の裏面には、固定用の両面テープを設けることができる。両面テープは例えばアクリル系粘着材を有するものが好ましい。
【００２４】
階段マット１の本体部１０は、２つの領域に分けることができる。すなわち、本体部１０は、段板部１００の踏み込み部１０２を覆う踏み込み部被覆領域１２と、段板部１００の段鼻部１０１を覆う段鼻部被覆領域１１とを有している。段鼻部被覆領域１１と踏み込み部被覆領域１２との間には、目視可能な境界線はなく、詳細は後述するが、段鼻部被覆領域１１と踏み込み部被覆領域１２とにそれぞれ形成される突条部の形状の相違によって各々を識別できるようになっている。
【００２５】
踏み込み部被覆領域１２の表面には、段板部１００の幅方向、即ち、段鼻部１０１の幅方向と平行に延びる多数の突条部１２ａが踏み込み部被覆領域１２の奥行き方向に並び、かつ、踏み込み部被覆領域１２の幅方向に並ぶように形成されている。踏み込み部被覆領域１２の奥行き方向に並ぶ突条部１２ａの間隔は、突条部１２ａの幅よりも狭く設定されている。また、踏み込み部被覆領域１２の幅方向に並ぶ突条部１２ａの間隔は、突条部１２ａの長手方向の寸法よりも狭く設定されている。各突条部１２ａの断面は略半円形状とされており、各突条部１２ａの外面は湾曲面となっている。
【００２６】
尚、踏み込み部被覆領域１２に設ける突条部１２ａの形状は、上記した形状に限られるものではなく、例えば点状や、奥行き方向に延びる突条等であってもよい。また、踏み込み部被覆領域１２を平坦面で構成してもよい。
【００２７】
図１や図２に示すように、段鼻部被覆領域１１には、第１突条部１３ａが形成される第１領域１３と、第２突条部１４ａが形成される第２領域１４とが段鼻部１０１の長手方向に並ぶように交互に複数形成されている。第１領域１３は、平面視で段鼻部１０１の長手方向に長い略矩形であり、第２領域１４も第１領域１３と同じ略矩形である。
【００２８】
図２に示すように、第１突条部１３ａは、段鼻部１０１の長手方向に対して第１の角度αを持って傾斜している。すなわち、第１突条部１３ａは、階段を昇る際に段板部１００に向かったとき、段板部１００の奥行き方向（図２の上下方向）に対して段板部１００の奥（図２の上）へ行くほど左に位置するように傾斜して直線状に延びている。
【００２９】
第２突条部１４ａは、段鼻部１０１の長手方向に対して第１の角度αとは異なる第２の角度βを持って傾斜している。すなわち、第２突条部１４ａは、階段を昇る際に段板部１００に向かったとき、段板部１００の奥行き方向（図２の上下方向）に対して段板部１００の奥（図２の上）へ行くほど右に位置するように傾斜して直線状に延びている。直線状に延びている。第１領域１３及び第２領域１４が段鼻部１０１の長手方向に交互に設けられているので、第１突条部１３ａ及び第２突条部１４ａも段鼻部１０１の長手方向に並ぶように交互に複数形成されることになる。
【００３０】
このように、段鼻部被覆領域１１に、傾斜方向の異なる第１突条部１３ａと第２突条部１４ａとが段鼻部１０１の長手方向に並ぶように形成されることになる。例えば、昇降者の身長や姿勢によって目の高さが異なる場合や、階段マット１への光の照射方向が異なる場合に、第１突条部１３ａの陰影が目立ちにくくても第２突条部１４ａの陰影が目立ちやすくなることがあり、その反対に、第２突条部１４ａの陰影が目立ちにくくても第１突条部１３ａの陰影が目立ちやすくなることがある。
【００３１】
また、第１領域１３と第２領域１４とは所定の距離Ｈ１だけ離れている。図１や図２に示すＨ１は、例えば２ｍｍ程度に設定されている。
【００３２】
第１領域１３と第２領域１４の幅は同じにしてもよいし、異なる幅としてもよい。この実施形態では、第１領域１３と第２領域１４の幅は同じにしており、約５０mmであるが、この幅は、１２０mm以下で１５mm以上の範囲に設定するのが好ましい。これは、一般成人２０人の視認性試験の結果に基づく。
【００３３】
視認性試験は、コンピュータシミュレーションを用いて次の要領で行った。まず、階段マット１の形状を再現したモデルを仮想の階段に配設する。そのモデルの上方の天井に相当する部分に仮想光源を配置する。そのモデルを見る視線は、階段の段板部から上方へ１．５ｍ離れたところに設定する。このとき、その視線から見ることのできる階段マットモデルをディスプレイ上に表示し、このディスプレイ上の画像を一般成人２０人に見てもらい、階段マットモデルの段鼻部被覆領域１１の視認性がどの程度であるかを１点〜５点で評価してもらった。１点は、「段鼻部被覆領域１１が非常に認識しづらい」とし、２点は、「段鼻部被覆領域１１が認識しづらい」とし、３点は、「段鼻部被覆領域１１が認識できる」とし、４点は、「段鼻部被覆領域１１が良く認識できる」とし、５点は、「段鼻部被覆領域１１が非常に良く認識できる」とした。第１領域１３と第２領域１４の幅を１２０mm以下で１５mm以上の範囲に設定することで、上記視認性試験結果は平均点で３点以上となる。この試験を行う際、視線の角度は、段板部１００に対し垂直となる角度（鉛直）から段板部１００に対し７５゜となる角度の範囲内で５゜ずつ変え、それぞれで点数を付けた。
【００３４】
第１領域１３及び第２領域１４は、踏み込み部被覆領域１２に形成されている突条部１２ａのうち、最も段鼻部被覆領域１１に近い突条部１２ａから所定の距離Ｈ２だけ離れている。Ｈ２は、１０ｍｍ以上が好ましく、上限値は段板部１００の一般的な奥行きを考慮すると、９０ｍｍ程度が好ましい。Ｈ２を１０ｍｍ以上９０ｍｍ以下に設定することで、上記視認性試験結果は平均点で３点以上となる。Ｈ２を２０ｍｍよりも短くすると、踏み込み部被覆領域１２に形成されている突条部１２ａの影響を受けて第１突条部１３ａや第２突条部１４ａが目立ちにくくなる傾向にある。
【００３５】
第１突条部１３ａは、１つの第１領域１３に複数形成されている。第１突条部１３ａは、第１領域１３内において複数並ぶように配置されている。１つの第１領域１３に形成される第１突条部１３ａの数は、５個以上が好ましい。第１突条部１３ａの数を増やしすぎると第１突条部１３ａが小さくなり過ぎて目立たなくなるので、上限は１２個が好ましい。第１突条部１３ａの数を５個以上１２個以下に設定することで、上記視認性試験結果は平均点で３点以上となる。第２突条部１４ａの数も同様に設定するのが好ましい。
【００３６】
第１領域１３内における第１突条部１３ａのうち、第１突条部１３ａの並び方向中央部に位置する第１突条部１３ａの長さが最も長くなり、並び方向の端に行くほど第１突条部１３ａの長さが短くなっている。第１領域１３内において隣り合う第１突条部１３ａの間に隙間を設けない方が好ましいが、隙間を設ける場合には、その隙間と第１突条部１３ａの幅との比が１：２以下となるように設定するのが好ましい。このように設定することで、上記視認性試験結果は平均点で３点以上となる。
【００３７】
図４に示すように、第１突条部１３ａの断面は二等辺三角形に近い山形である。従って、第１突条部１３ａの両側面は傾斜面となっている。第１突条部１３ａの両側面がなす角度θは、１３０゜よりも小さい角度が好ましく、下限としては３０゜である。角度θを３０゜以上１３０゜以下に設定することで、上記視認性試験結果は平均点で３点以上となる。角度θを１３０゜よりも大きくすると、第１突条部１３ａが平面的な形状になって突条とならなくなる。
【００３８】
図２に示すように、第１突条部１３ａの延長線と第２突条部１４ａの延長線との交差角Ａは、３０゜以上１５０゜以下が好ましい。交差角Ａを３０゜以上１５０゜以下に設定することで、上記視認性試験結果は平均点で３点以上となる。交差角Ａを３０゜よりも小さくすると、第１突条部１３ａと第２突条部１４ａとが共に段板部１００の奥行き方向に延びる形状となってしまい、目立ちにくくなる。また、交差角Ａを１５０゜よりも大きくすると、第１突条部１３ａと第２突条部１４ａとが共に段板部１００の幅方向に延びる形状となってしまい、目立ちにくくなる。
【００３９】
また、図４に示すように、第１突条部１３ａ及び第２突条部１４ａの高さＢは、離れていても目視できる程度である０．５ｍｍ以上が好ましい。これにより、上記視認性試験結果は平均点で３点以上となる。第１突条部１３ａ及び第２突条部１４ａの高さＢは、高い方が好ましいが、高すぎると昇降者が踏んだときに違和感を感じることになるので、例えば３ｍｍ以下が好ましい。
【００４０】
また、第１突条部１３ａ及び第２突条部１４ａの底部の幅Ｃは、１ｍｍ以上が好ましい。これにより、上記視認性試験結果は平均点で３点以上となる。
【００４１】
また、第１突条部１３ａの断面形状は、頂部が尖った山形、頂部が湾曲した山形のいずれであってもよい。頂部が湾曲した山形の場合、頂部を円弧形状とすることができ、このときの半径は例えば０．２５ｍｍ以上０．７５ｍｍ以下に設定することができる。これにより、上記視認性試験結果は平均点で３点以上となる。第２突条部１４ａも同様である。
【００４２】
また、第１突条部１３ａの断面形状は、長方形（図５（ａ）に示す）や正方形であってもよいし、台形（図５（ｂ）に示す）であってもよい。第１突条部１３ａの断面形状を長方形や正方形とする場合には、隣り合う第１突条部１３ａの間に隙間を設ける必要がある。第１突条部１３ａの断面形状を台形とする場合にも隣り合う第１突条部１３ａの間に隙間を設けるのが好ましい。第１突条部１３ａの断面形状を台形とする場合、上辺と下辺との差を大きくするのが好ましい。第２突条部１４ａも同様である。
【００４３】
以上説明したように、この実施形態に係る階段マット１によれば、段鼻部１０１の長手方向に対する傾斜角度が互い異なる第１突条部１３ａ及び第２突条部１４ａを段鼻部１０１の長手方向に並ぶように設けている。これにより、様々な状況で昇降者が段鼻部１０１を認識し易くなり、その結果、２色成形法や別部材の組み合わせ構造を採用することなく、低コストで踏み外しによる事故を抑制することが可能になるので、安全性を高めることができる。
【００４４】
また、第１突条部１３ａ及び第２突条部１４ａを段鼻部１０１の長手方向に交互に複数形成したので、段鼻部１０１の視認性をより一層向上させることができる。
【００４５】
（実施形態２）
図６〜図９は、本発明の実施形態２に係るものであり、実施形態１のものに対し、段鼻部被覆領域１１に形成される第１突条部１３ａ及び第２突条部１４ａの形状が異なっており、他の部分は実施形態１のものと同じである。以下、実施形態１と異なる部分について説明する。
【００４６】
第１突条部１３ａ及び第２突条部１４ａの傾斜方向が実施形態１のものとは反対になっている。すなわち、第１突条部１３ａは、階段を昇る際に段板部１００に向かったとき、段板部１００の奥行き方向（図６の上下方向）に対して段板部１００の奥（図６の上）へ行くほど右に位置するように傾斜して直線状に延びている。また、第２突条部１４ａは、階段を昇る際に段板部１００に向かったとき、段板部１００の奥行き方向に対して段板部１００の奥へ行くほど左に位置するように傾斜して直線状に延びている。
【００４７】
また、第１突条部１３ａ及び第２突条部１４ａは略三角形の断面を有しており、その断面は頂部が尖った形状となっている。
【００４８】
実施形態２の階段マット１も実施形態１と同様な作用効果を奏することができる。
【００４９】
（参考例１）
図１０〜図１３は、参考例１に係るものであり、実施形態１のものに対し、段鼻部被覆領域１１の構成が異なっており、他の部分は実施形態１のものと同じである。以下、実施形態１と異なる部分について説明する。
【００５０】
第１領域１３には、複数の第１突起１３ｂが形成されている。第１突起１３ｂは、所定方向に延びる列をなすように並んでいる。具体的には、実施形態３では、第１突起１３ｂの列は、階段を昇る際に段板部１００に向かったとき、段板部１００の奥行き方向（図１０の上下方向）に対して段板部１００の奥（図１０の上）へ行くほど左に位置するように傾斜して直線状に延びている。第１突起１３ｂは山型である。
【００５１】
一方、第２領域１４には、複数の第２突起１４ｂが形成されている。第２突起１４ｂも列をなすように配置されており、第２突起１４ｂの列は、階段を昇る際に段板部１００に向かったとき、段板部１００の奥行き方向（図１０の上下方向）に対して段板部１００の奥（図１０の上）へ行くほど右に位置するように傾斜して直線状に延びている。第２突起１４ｂも山型である。
【００５２】
このように、段鼻部被覆領域１１に、傾斜方向の異なる複数の列が第１突起１３ｂと第２突起１４ｂとで形成されることになる。従って、昇降者の身長や姿勢によって目の高さが異なる場合や、階段マット１への光の照射方向が異なる場合に、第１突起１４ａにより形成された列の陰影が目立ちにくくても第２突起１４ｂにより形成された列の陰影が目立ちやすくなることがあり、その反対に、第２突起１４ｂにより形成された列の陰影が目立ちにくくても第１突起１３ｂにより形成された列の陰影が目立ちやすくなることがある。
【００５３】
よって、参考例１の階段マット１も実施形態１と同様な作用効果を奏することができる。
【００５４】
（参考例２）
図１４〜図１７は、参考例２に係るものであり、参考例１のものに対し、段鼻部被覆領域１１の構成が異なっており、他の部分は参考例１のものと同じである。以下、参考例２と異なる部分について説明する。
【００５５】
第１領域１３には、第１突起１３ｂによって形成される列が複数あり、これら列の間隔が実施形態３のものに対して広く設定されている。また、第２領域１４も同様に第２突起１４ｂによって形成される列の間隔が実施形態３のものに対して広く設定されている。
【００５６】
参考例２の階段マット１も実施形態１と同様な作用効果を奏することができる。
【００５７】
（参考例３）
図１８〜図２１は、参考例３に係るものであり、参考例２のものに対し、段鼻部被覆領域１１の構成が異なっており、他の部分は参考例２のものと同じである。以下、参考例２と異なる部分について説明する。
【００５８】
第１領域１３の第１突起１３ｂの形状が第２突起１４ｂとは異なる形状となっている。このように第１突起１３ｂと第２突起１４ｂの形状を互いに変えても実施形態１と同様な作用効果を奏することができる。
【００５９】
図２２（ａ）に示す変形例１のように、隣り合う第１突条部１３ａの高さを互いに変えてもよい。また、図２２（ｂ）に示す変形例２のように、第１突条部１３ａの先端部を丸く形成してもよい。
【００６０】
図２３（ａ）、（ｂ）に示す変形例３、４のように、隣り合う第１突条部１３ａの間に凸部１３ｃを形成してもよい。変形例３の凸部１３ｃの上端面は平坦である。また、変形例４の凸部１３ｃの上端面は湾曲している。
【００６１】
図２４（ａ）、（ｂ）に示す変形例５、６のように、隣り合う第１突条部１３ａの間に別の突条部１３ｄを形成してもよい。変形例５では突条部１３ｄが２つあり、また、変形例６では突条部１３ｄが１つある。
【００６２】
図２５（ａ）、（ｂ）に示す変形例７、８のように、第１突条部１３ａの一方の側面を鉛直にし、他方の側面を傾斜させるようにしてもよい。変形例７では第１突条部１３ａの高さが全て同じであり、また、変形例８では第１突条部１３ａの高さが異なっている。
【００６３】
図２６（ａ）、（ｂ）に示す変形例９、１０のように、第１突条部１３ａの先端部を球状に成形してもよい。変形例９では第１突条部１３ａの側面を平坦にしており、また、変形例１０では第１突条部１３ａの側面に凸部１３ｅが形成されている。
【００６４】
図２７に示す変形例１１では、隣り合う第１突条部１３ａの間に溝部１３ｆが形成されている。
【００６５】
図２８（ａ）に示す変形例１２では、第１突条部１３ａの先端部に略水平な平坦面を形成しており、また、図２８（ｂ）に示す変形例１３では、第１突条部１３ａの先端部を窪ませている。
【００６６】
図２９に示す変形例１４では、第１突条部１３ａの先端部に略水平な平坦面を形成し、かつ、隣り合う第１突条部１３ａの間に変形例３や４に示すような凸部１３ｃを形成している。
【００６７】
尚、上述のように第１突条部１３ａ及び第２突条部１４ａを設けることで階段マット１の色は単色であっても視認性を向上させることができるが、階段マット１の色は黒等の暗めの色よりも、明るめの色の方が好ましい。例えば、ベージュ、明るいグレー等である。
【００６８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６９】
以上説明したように、本発明に係る階段マットは、例えば、屋外階段等に配設することができる。
【符号の説明】
【００７０】
１          階段マット
１１        段鼻部被覆領域
１２        踏み込み部被覆領域
１３ａ      第１突条部
１３ｂ      第１突起
１４ａ      第２突条部
１４ｂ      第２突起
１００      段板部
１０１      段鼻部
１０２      踏み込み部
【手続補正２】
【補正対象書類名】特許請求の範囲
【補正対象項目名】全文
【補正方法】変更
【補正の内容】
【特許請求の範囲】
【請求項１】
階段の段板部を覆うように配設される階段マットにおいて、
上記段板部の踏み込み部を覆う踏み込み部被覆領域と、上記段板部の段鼻部を覆う段鼻部被覆領域とを有し、
上記段鼻部被覆領域には、階段を昇る際に上記段板部に向かったとき、上記段板部の奥行き方向に対して奥へ行くほど左に位置するように傾斜して延びる複数の第１突条部が形成される第１領域と、上記段板部の奥行き方向に対して奥へ行くほど右に位置するように傾斜して延びる複数の第２突条部が形成される第２領域とが、上記段鼻部の長手方向に間隔をあけて交互に複数並ぶように形成され、
上記第１突条部は、上記第１領域内で複数並ぶように配置されており、上記第１領域内で並び方向中央部に位置する上記第１突条部の長さが最も長く、並び方向の端に行くほど上記第１突条部の長さが短くなり、
上記第２突条部は、上記第２領域内で複数並ぶように配置されており、上記第２領域内で並び方向中央部に位置する上記第２突条部の長さが最も長く、並び方向の端に行くほど上記第２突条部の長さが短くなることを特徴とする階段マット。
【請求項２】
請求項１に記載の階段マットにおいて、
上記第１突条部及び上記第２突条部の側面は上記段板部の表面に対して傾斜していることを特徴とする階段マット。